(57)【要約】【課題】  管理や運用が容易で臭いが少なく低コストが実現でき、異種の家畜の家畜排泄物を混合して用いることができる家畜排泄物処理方法及び家畜排泄物処理装置を提供する。【解決手段】  家畜排泄物処理装置１００の排泄物撹拌手段３０の撹拌容器３１に排泄物を流入させ、撹拌駆動部３２を駆動させて排泄物溶液を生成し、滞留容器４１に滞留させた後に所定量をバケット１０に流入させる。残渣添加手段５０の収容容器５１に収容されている再焼成ＰＳ灰を所定量でバケット１０に投入し、排泄物溶液に再焼成ＰＳ灰を添加する。バケット１０の下方に接続されている搬送撹拌手段２０の搬送管路２２に、再焼成ＰＳ灰が添加された排泄物溶液が移動し、回転するスクリュー２３によって搬送管路２２内で排泄物溶液と再焼成ＰＳ灰とが撹拌混合されて、臭いが少なく水分が減少した減水排泄物が生成されて搬送管路２２外に搬送される。【選択図】      図１
2005087854.tif 000002
【特許請求の範囲】
【請求項１】
家畜排泄物の固体物と液体物とを撹拌して得られる排泄物溶液に残渣を添加し、
前記排泄物溶液と前記残渣とを撹拌混合しながら前記排泄物溶液の水分を減少させることを特徴とする家畜排泄物処理方法。
【請求項２】
前記残渣が再焼成ＰＳ灰であることを特徴とする請求項１に記載の家畜排泄物処理方法。
【請求項３】
家畜排泄物の固体物と液体物とを撹拌して生成される排泄物溶液と残渣とが流入されるバケットと、
前記バケットに流入した前記排泄物溶液に所定量の残渣を添加する残渣添加手段と、
前記家畜排泄物の固体物と液体物とを撹拌して前記排泄物溶液を生成する排泄物撹拌手段と、
該排泄物溶液を所定の流入量で前記バケットに流入させる排泄物溶液供給手段と、
前記バケットに流入された前記残渣と前記排泄物溶液とを撹拌混合しながら搬送する搬送撹拌手段とを備え、
前記搬送撹拌手段によって前記残渣と前記排泄物溶液とを撹拌混合することで前記排泄物溶液の水分を減少させるように構成したことを特徴とする家畜排泄物処理装置。
【請求項４】
前記残渣が再焼成ＰＳ灰であることを特徴とする請求項３に記載の家畜排泄物処理装置。
【発明の詳細な説明】
【技術分野】
【０００１】
本発明は、家畜排泄物が含む水分を減少させる家畜排泄物処理方法及び家畜排泄物処理装置に関する。
【背景技術】
【０００２】
現在、家畜の糞尿（以下、「家畜排泄物」という。）の処理に関して「家畜排泄物の管理の適性及び利用の促進に関する法律」が施行され、平成１６年１１月より家畜排泄物の処理施設に関する規定が施行される。これにより、畜産事業者は、自らの責任において、飼育している家畜の家畜排泄物を管理しなければならなくなった。
【０００３】
このような背景において、畜産事業者は、高齢化が進む中で、以下のような家畜排泄物を処理する装置（以下、「排泄物処理装置」という。）を使用する必要が生じている。
この排泄物処理装置においては、活性汚泥処理方法が適用されている。この活性汚泥処理方法は、家畜排泄物を貯留した貯留槽に好気性菌を混入させた後に曝気して、好気性菌により家畜排泄物を分解する方法であって、分解過程で固体物と液体物とが分離するようになっている。分離した固体物は貯留槽の下方に沈殿し、液体物は貯留槽の上方で上澄み水となって、定められている排水基準に従って排水され、沈殿した固体物は、排出されて所定の場所に堆積され、水分を減少させるために約２０日〜３０日間、天日干しされる。
【０００４】
天日干しされた家畜排泄物の固体物は、堆肥として約６０日から１００日間発酵させることで処理されている。このような活性汚泥処理方法を用いた排泄物処理装置は、一般的に規模が大きく高価な装置であり、長寿命を実現させるために多くの使用基準が定められている。例えば、牛の家畜排泄物と豚の家畜排泄物とを混ぜてはいけない等の使用基準が設けられている（例えば、非特許文献１参照）。
ここで、家畜排泄物とは、牛や豚の排泄物をいい、固体物（糞）及び液体物（尿）から構成されたものをいう。
【非特許文献１】社団法人宮崎県畜産会、“尿汚水処理情報”、［online］、社団法人宮崎県畜産会、［平成１５年９月１１日検索］、インターネット＜ＵＲＬ：http://miyazaki.lin.go.jp/osui/index.html＞
【発明の開示】
【発明が解決しようとする課題】
【０００５】
しかしながら、活性汚泥処理方法を用いた排泄物処理装置は、各畜産事業者が所有するには高価すぎてしまい、各畜産事業者の経済的負担が大きくなってしまう恐れがある。
【０００６】
また、家畜排泄物が分離して生じる液体物の排出は、排水基準に従わなければならないため、別途排水処理装置が必要となり、かつ、排水管理を行って排水しなければならないので、排水処理装置の設置による費用の増大に併せて排水管理に手間がかかるという問題もあった。
【０００７】
また、このような排泄物処理装置は、家畜の種別（例えば、牛や豚）によって使い分けなくてはならず、異種の家畜の家畜排泄物を混在させて用いると故障の原因になる場合があり、排泄物処理装置の運用に関して煩雑な状態となっていた。
【０００８】
また、排泄物処理装置においては、家畜排泄物の処理過程で、臭いが拡散してしまい、周辺地域の環境に悪影響を及ぼす恐れがあった。
【０００９】
さらに、排泄物処理装置を使用する使用者が、高齢化が進む畜産事業者であることから、排泄物処理装置の管理や運用に対応できなくなるという恐れもあった。
【００１０】
そこで、本発明は、前記した問題を解決し、管理や運用が容易で、臭いが少なく低コストが実現でき、異種の家畜の家畜排泄物を混合して用いることができる家畜排泄物処理方法及び家畜排泄物処理装置を提供することを目的とする。
【課題を解決するための手段】
【００１１】
前記課題を解決するため、本発明では、家畜排泄物の固体物と液体物とを撹拌して得られる排泄物溶液に残渣を添加し、前記排泄物溶液と前記残渣とを撹拌混合しながら前記排泄物溶液の水分を減少させることを特徴とする。
【００１２】
このようにして生成された排泄物溶液に残渣を添加して撹拌混合を行うことにより、排泄物溶液の水分を減少させることができる。これは、残渣に排泄物溶液の水分が吸収されることによりなされる。これにより、家畜排泄物を処理する過程で行われていた排水処理を行うことなく、容易に家畜排泄物の処理を行うことができる。
【００１３】
また、家畜排泄物の固体物と液体物とを撹拌して排泄物溶液を生成するので、家畜の種類が問われず、異種の家畜の家畜排泄物の固体物と液体物とを混合して用いることができる。
【００１４】
したがって、排水装置を設ける必要がないことから、家畜排泄物の処理にかかるコストを低減することができ、かつ、排水にかかる管理や運用も行う必要がないことから、家畜排泄物の処理にかかる労力も低減させることができる。
【００１５】
また、本発明は、残渣を再焼成ＰＳ灰とすることもできる。
【００１６】
再焼成ＰＳ灰とは、再生紙を製造する過程で発生するペーパー・スラッジ（Ｐａｐｅｒ・Ｓｌｕｄｇｅ：ＰＳ）を焼却した灰を、さらに７００度以上の温度で焼成して、有機物やカーボン等の不純物が除去された灰である。
【００１７】
このように、残渣に再焼成ＰＳ灰を用いたことにより、排泄物溶液に添加される再焼成ＰＳ灰が多孔質となっているため吸水効果と脱臭効果とがあり、家畜排泄物の水分を減少させた後においても、臭いの拡散を防止することができる。
さらに、再焼成ＰＳ灰は、安価であることから、家畜排泄物の処理にかかるコストをさらに低減することができる。
【００１８】
また、本発明は、家畜排泄物の固体物と液体物とを撹拌して生成される排泄物溶液と残渣とが流入されるバケットと、前記バケットに流入した前記排泄物溶液に所定量の残渣を添加する残渣添加手段と、前記家畜排泄物の固体物と液体物とを撹拌して前記排泄物溶液を生成する排泄物撹拌手段と、該排泄物溶液を所定の流入量で前記バケットに流入させる排泄物溶液供給手段と、前記バケットに流入された前記残渣と前記排泄物溶液とを撹拌混合しながら搬送する搬送撹拌手段とを備え、前記搬送撹拌手段によって前記残渣と前記排泄物溶液とを撹拌混合することで前記排泄物溶液の水分を減少させるように構成したことを特徴とする。
【００１９】
このように、バケットは、排泄物溶液と残渣とを混入できる容器となっており、バケットには搬送撹拌手段が接続されて、この搬送撹拌手段により排泄物溶液と残渣とを混合撹拌を行うことができるようになっている。ここで、排泄物溶液は、排泄物撹拌手段によって家畜排泄物の固体物と液体物とを撹拌混合され、均質な液体となっている。この排泄物溶液は、排泄物溶液供給手段により所定の流入量でバケットに流入される。
【００２０】
そして、残渣は、残渣添加手段により所定量でバケットに投入されることで、排泄物溶液に添加される。したがって、排泄物溶液には残渣が混入した状態となっており、そのままの状態で搬送撹拌手段に移動して、搬送撹拌手段により排泄物溶液と残渣との撹拌混合を行うことができるようになっている。搬送撹拌手段で排泄物溶液と残渣との撹拌混合を行うことによって排泄物溶液の水分、すなわち、家畜排泄物の水分を減少させることができるようになっている。これは、残渣が有する孔に水分が浸入することによりなされる。
【００２１】
これにより、家畜排泄物の固体物と液体物とを撹拌して排泄物溶液を生成するので、家畜の種類が問われず、異種の家畜の家畜排泄物の固体物と液体物とを混合して用いることができる。また、このようにして生成された排泄物溶液に残渣を添加して撹拌混合を行うことにより、排泄物溶液の水分を減水することができる。これにより、家畜排泄物を処理する過程で行われていた排水処理を行うことなく、家畜排泄物の処理を行うことができる。したがって、排水装置を設ける必要がないことから、家畜排泄物の処理にかかるコストを低減することができ、かつ、排水に係る管理や運用も行う必要がないことから、家畜排泄物の処理にかかる労力も低減させることができる。
【００２２】
また、畜産事業者は、家畜排泄物を排泄物撹拌手段に投入するだけで、家畜排泄物を減水することができるので、家畜排泄物処理装置の管理や運用を容易に行えることができる。また、家畜排泄物処理装置の管理や運用を容易に行えることから、管理や運用にかかるコストを低減させることができる。
【００２３】
また、本発明は、残渣を再焼成ＰＳ灰とすることもできる。
【００２４】
このように、残渣に再焼成ＰＳ灰を用いたことにより、排泄物溶液に添加される再焼成ＰＳ灰が多孔質となっているため脱臭効果があり、家畜排泄物の水分を減少させた後においても、臭いの拡散を防止することができる。
さらに、再焼成ＰＳ灰は、安価であることから、家畜排泄物の処理にかかるコストをさらに低減することができる。
【発明の効果】
【００２５】
したがって、本発明は、管理や運用が容易で、臭いが少なく低コストを実現でき、異種の家畜の家畜排泄物を混合して用いることができる。
【発明を実施するための最良の形態】
【００２６】
次に、本発明の実施形態について、適宜図面を参照しながら詳細に説明する。
【００２７】
本発明の家畜排泄物処理装置１００は、図１に示すように、異種の家畜の家畜排泄物を混合しても、その家畜排泄物の水分を減少させることができる装置であって、バケット１０と、搬送撹拌手段２０と、排泄物撹拌手段３０と、排泄物溶液供給手段４０と、残渣添加手段５０と、制御手段６０とから構成されている。
【００２８】
ここで、残渣とは、残りかすであって、例えば、ゴミ等が焼却された時に生成される灰や飛灰、集じん灰、又は、これらを少なくとも１回以上加熱することにより不純物を除去して得られた灰をいう。
なお、以下では、残渣には、再焼成ＰＳ灰が用いられるものとして説明する。
【００２９】
ここで、家畜排泄物は、飼育されている家畜から毎日排出されるものであり、排出されるごとに回収しなければならないものである。回収された家畜排泄物は、固体物（糞）と液体物（尿）とが混在した状態となっており、本発明の家畜排泄物処理装置１００によりその水分を減少させた後に、堆肥として微生物等が混合されて発酵される。そして、発酵が完了すると肥料として再利用される。
【００３０】
まず、家畜排泄物処理装置１００の各構成要素の配置関係について説明する。
バケット１０の下部には、搬送撹拌手段２０が接続されており、バケット１０に流入させた後に再焼成ＰＳ灰が添加された排泄物溶液が搬送撹拌手段２０へ移動できるようになっている。このバケット１０の上部には、排泄物溶液供給手段４０と残渣添加手段５０とが配置されており、排泄物溶液供給手段４０により所定の流入量で排泄物溶液をバケット１０に流入させ、残渣添加手段５０により、所定量の再焼成ＰＳ灰をバケット１０内に投入し、排泄物溶液に添加させる。
【００３１】
また、排泄物溶液供給手段４０の上方には排泄物撹拌手段３０が配置されており、家畜排泄物の固体物と液体物とをこの排泄物撹拌手段３０に投入し、撹拌混合して生成した排泄物溶液を排泄物溶液供給手段４０に流入させることができるようになっている。
【００３２】
したがって、家畜排泄物は、排泄物撹拌手段３０に投入されると、この排泄物撹拌手段３０により撹拌混合されて排泄物溶液となり、排泄物溶液供給手段４０に流入される。そして、排泄物溶液は、排泄物溶液供給手段４０により所定の流入量でバケット１０に流入される。
【００３３】
一方、排泄物溶液供給手段４０により所定の流入量で排泄物溶液がバケット１０に流入されると同時に、残渣添加手段５０により再焼成ＰＳ灰がバケット１０内に投入され、排泄物溶液に添加される。再焼成ＰＳ灰が添加された排泄物溶液は、バケット１０内から搬送撹拌手段２０の内部へと移動し、搬送撹拌手段２０によって排泄物溶液を搬送撹拌手段２０の外部に減水排泄物として排出される。このとき、再焼成ＰＳ灰が添加された排泄物溶液は、搬送撹拌手段２０によって撹拌混合されることにより、その水分を再焼成ＰＳ灰が吸収して泥土状に固化した減水排泄物が生成されて搬送撹拌手段２０の外部に排出される。そして、排出された減水排泄物は、貯留庫Ｃに貯留される。
【００３４】
ここで、減水排泄物とは、排泄物溶液の水分を再焼成ＰＳ灰が吸収して泥土状に固化した排泄物をいう。
【００３５】
次に家畜排泄物処理装置１００の各構成要素について説明する。
バケット１０は、一方の端部を縮径した円筒体であって、縮径した端部を下部とするように円筒体の軸線方向を鉛直方向に向けて設置される。
このバケット１０の下部に後述する搬送撹拌手段２０が接続されており、再焼成ＰＳ灰が添加された排泄物溶液がバケット１０から搬送撹拌手段２０へと流入することができるようになっている。
【００３６】
また、バケット１０の上部には、後述する排泄物溶液供給手段４０と残渣添加手段５０とが接続されており、バケット１０の内部に、排泄物溶液供給手段４０からは排泄物溶液を流入することができるようになっており、また、残渣添加手段５０からは再焼成ＰＳ灰を投入することができるようになっている。そして、このバケット１０の上部は、排泄物溶液の臭いが周囲に拡散しないように密閉状態にされる。
このようにして、このバケット１０は、排泄物溶液に再焼成ＰＳ灰を添加させるための容器として用いられる。
【００３７】
なお、バケット１０の上部には、図示しない空気抜き孔が設けられている。この空気抜き孔は、フィルターが備えられており、排泄物溶液が流入したことによって、又は再焼成ＰＳ灰を投入したことによって、バケット１０内の空気を排出しつつその空気の臭いを吸収する役割を果たし、かつ、排泄物溶液の流入及び再焼成ＰＳ灰の投入を容易に行わせる役割を果たす。
【００３８】
搬送撹拌手段２０は、モーター２１と、搬送管路２２と、スクリュー２３とから構成されており、バケット１０から流入する再焼成ＰＳ灰が添加された排泄物溶液を撹拌混合しながら搬送管路２２の外部へと搬出する役割を果たす。
【００３９】
モーター２１は、搬送管路２２の外部側の端部に設けられており、駆動力をスクリュー２３に伝達させる役割を果たす。
【００４０】
搬送管路２２は、直線状に形成された筒体となっており、その内部にスクリュー２３を備えることができるようになっている。この搬送管路２２内を再焼成ＰＳ灰が添加された排泄物溶液が撹拌混合されながら搬送されることとなる。
【００４１】
スクリュー２３は、駆動軸部２３Ａと羽部２３Ｂとから構成されており、再焼成ＰＳ灰が添加された排泄物溶液を撹拌混合しながら搬送管路２２外に搬出する役割を果たす。
駆動軸部２３Ａは、モーター２１と接続されており、モーター２１の駆動力が伝達されることにより駆動することができるようになっている。駆動軸部２３Ａの外周面上に羽部２３Ｂを螺旋状に巻きつけている。羽部２３Ｂは、搬送管路２２内の再焼成ＰＳ灰が添加された排泄物溶液を、再焼成ＰＳ灰が排泄物溶液に均一に混合されるように撹拌混合する。これにより、再焼成ＰＳ灰が排泄物溶液の水分を吸収して排泄物溶液の水分を減少させることで減水排泄物を生成する。
なお、この搬送撹拌手段２０は、スクリューコンベアを用いることができる。
【００４２】
ここで、搬送撹拌手段２０が、再焼成ＰＳ灰が添加された排泄物溶液を撹拌混合して減水排泄物を生成する時間は、例えば、約２０分程度であり、このときの減水排泄物の含水比が５５パーセントから７０パーセントになっている。これは、排泄物溶液の水分を再焼成ＰＳ灰が吸収することにより、排泄物溶液が泥土状に固化した減水排泄物に変化したことによりなされる。したがって、減水排泄物がこの含水比になることで、良好な発酵が行える堆肥のもと（原料）とすることができる。
これにより、短時間で家畜排泄物の水分を減少させて、良好な発酵ができる堆肥のもと（原料）となる減水排泄物を生成することができる。
【００４３】
排泄物撹拌手段３０は、家畜排泄物から排泄物溶液を生成する役割を果たし、撹拌容器３１と撹拌駆動部３２と、流出バルブ３３と、から構成されている。
【００４４】
撹拌容器３１は、円筒形状の容器であって、所定量の家畜排泄物を収容する役割を果たす。この撹拌容器３１は、上部から家畜排泄物を流入させ、家畜排泄物の臭いが周囲に拡散しないように密閉状態にされている。さらに、撹拌駆動部３２を内部に収容して家畜排泄物の撹拌を行えるようになっている。そして撹拌容器３１の下部には流出バルブ３３が設けられており、流出バルブ３３から排泄物溶液を排泄物溶液供給手段４０へ流入させることができるようになっている。
【００４５】
なお、撹拌容器３１の上部には、図示しない空気抜き孔が設けられている。この空気抜き孔は、フィルターが備えられており、家畜排泄物が流入したことによって撹拌容器３１内の空気を排出しつつその空気の臭いを吸収する役割を果たし、かつ、家畜排泄物の流入を容易に行わせる役割を果たす。
【００４６】
撹拌駆動部３２は、その下半部が撹拌容器３１に収容され、駆動シャフト３２Ｂが撹拌容器３１の上部を突き抜けており、この駆動シャフト３２Ｂの上部には、駆動モーター３２Ａからの駆動力が伝達されるようになっている。そして、この駆動シャフト３２Ｂの下端部には、プロペラ３２Ｃが設けられており、撹拌容器３１の下部付近で駆動シャフト３２Ｂが駆動することにより回転し、家畜排泄物を撹拌することができるようになっている。これにより、家畜排泄物は、均質な液状状態の排泄物溶液となる。
【００４７】
流出バルブ３３は、家畜排泄物が排泄物溶液となると、後述する制御手段６０によりバルブの開閉が行われて、排泄物溶液を排泄物溶液供給手段４０に流入させる役割を果たす。
【００４８】
排泄物溶液供給手段４０は、所定の流入量で排泄物溶液をバケット１０に流入させる役割を果たし、滞留容器４１と流量調節バルブ４２とから構成されている。
【００４９】
滞留容器４１は、円筒形状となっており、排泄物撹拌手段３０から流入されてくる排泄物溶液を一時的に滞留させる役割を果たす。この滞留容器４１の下部には流量調節バルブ４２が設けられており、排泄物溶液をバケット１０に流入させることができるようになっている。
【００５０】
なお、滞留容器４１の上部には、図示しない空気抜き孔が設けられている。この空気抜き孔は、フィルターが備えられており、排泄物溶液が流入したことによって滞留容器４１内の空気を排出しつつその空気の臭いを吸収する役割を果たし、かつ、排泄物溶液の流入を容易に行わせる役割を果たす。
【００５１】
流量調節バルブ４２は、滞留容器４１に排泄物溶液が滞留されると、制御手段６０によりバルブの開閉が行われて、所定の流入量で排泄物溶液をバケット１０に流入させる役割を果たす。これにより、バケット１０に流入される排泄物溶液の量を常に一定に保つことができる。
【００５２】
残渣添加手段５０は、再焼成ＰＳ灰を収容する収容容器５１と、再焼成ＰＳ灰をバケット１０に投入する投入バルブ５２とから構成されており、排泄物溶液供給手段４０から流入される排泄物溶液の流入量に対応した所定量の再焼成ＰＳ灰をバケット１０に投入する役割を果たす。
【００５３】
収容容器５１は、再焼成ＰＳ灰を収容する役割を果たし、その形状が、円筒体の下端部側の開口部が縮径するように形成されている。
この収容容器５１の下端部の開口部には投入バルブ５２が設けられており、再焼成ＰＳ灰をバケット１０に投入することができるようになっている。
【００５４】
なお、収容容器５１の上部には、図示しない空気抜き孔が設けられている。この空気抜き孔は、フィルターが備えられており、再焼成ＰＳ灰が収容されることによって収容容器５１内の空気を排出しつつその空気の臭いを吸収する役割を果たし、かつ、再焼成ＰＳ灰の収容を容易に行わせる役割を果たす。
【００５５】
投入バルブ５２は、制御手段６０によりバルブの開閉が行われて、所定量の再焼成ＰＳ灰をバケット１０に投入する役割を果たす。
【００５６】
再焼成ＰＳ灰をバケット１０に投入する量は、排泄物溶液と再焼成ＰＳ灰とが撹拌混合されたことにより生成される減水排泄物の含水比が例えば、５５パーセント〜７０パーセントとなる量である。
【００５７】
制御手段６０は、搬送撹拌手段２０のモーター２１及び排泄物撹拌手段３０の撹拌駆動部３２の駆動と停止を制御する役割を果たし、さらに、排泄物撹拌手段３０の流出バルブ３３、排泄物溶液供給手段４０の流量調節バルブ４２及び残渣添加手段５０の投入バルブ５２の開閉を制御する役割を果たす。
【００５８】
この制御手段６０は、排泄物撹拌手段３０の撹拌駆動部３２を駆動させると同時に搬送撹拌手段２０のモーター２１を駆動させることができる。
また、制御手段６０は、排泄物撹拌手段３０の流出バルブ３３を開いてから所定の時間が経過した後に、又は、家畜排泄物が排泄物溶液となったことを検知して流出バルブ３３を開いて排泄物溶液供給手段４０の滞留容器４１に流出させ、滞留容器４１が所定量の排泄物溶液を滞留させた後、排泄物溶液供給手段４０の流量調節バルブ４２を開いて所定の流量でバケット１０に流入させ、バケット１０に排泄物溶液が流入したことを検知して残渣添加手段５０の投入バルブ５２を開いて所定量の再焼成ＰＳ灰をバケット１０に投入させる。
【００５９】
これにより、排泄物から排泄物溶液を自動で生成することができ、流出バルブ３３、流量調節バルブ４２、投入バルブ５２とが連動することにより、所定量の排泄物溶液にバケット１０に流入した排泄物溶液に対応した所定量の再焼成ＰＳ灰を添加させることができる。また、排泄物撹拌手段３０の撹拌駆動部３２に連動して搬送撹拌手段２０のモーター２１が駆動することにより、再焼成ＰＳ灰が添加された排泄物溶液を撹拌混合して搬出することで、減水排泄物を生成することができる。
【００６０】
このように本発明の家畜排泄物処理装置１００を構成したことにより、従来から用いられていた排水設備や排水のための管理及び運用を無くすことができるため、家畜排泄物の処理が容易に行えるとともに、家畜排泄物の処理のコストを低減させることができる。
【００６１】
また、本発明の家畜排泄物処理装置１００は、簡易な構成要素で構成されているので、従来の排泄物処理装置に比べて規模が小さく、また、設置が容易であり、設置のための使用面積を小さくすることができる。これにより、製造コストを低くすることができるので、畜産事業者の経済的負担を減少させることができる。また、本発明の家畜排泄物処理装置１００は、畜産事業者が制御手段６０を操作するだけで、家畜排泄物から減水排泄物を生成することができるので、畜産事業者の高齢化が進んでも、容易に制御手段６０を操作することができる。
さらに、本発明の家畜排泄物処理装置１００が簡易な構成要素で構成されているので、メンテナンスが容易となり、畜産事業者による維持管理の労力を低減させることができる。
【００６２】
また、家畜排泄物の水分を減少させるために残渣を用いたことにより、排水設備が不要となる家畜排泄物処理装置が実現でき、かつ、産業廃棄物として廃棄されていた残渣を再利用することができるので、環境負荷の小さい家畜排泄物処理装置とすることができる。
【００６３】
さらに、残渣に再焼成ＰＳ灰を用いたことにより、安価な材料費で家畜排泄物の処理を行うことができる。また、再焼成ＰＳ灰は有害物質の除去がされているため、環境にも優しく、再焼成ＰＳ灰が有する多数の孔に家畜排泄物の臭いが吸収されるので、家畜排泄物処理装置の周辺への臭いの拡散を防止することができる。
【００６４】
次に本発明の家畜排泄物処理方法について説明する。
本発明の家畜排泄物処理方法は、家畜排泄物の固体物と液体物とを撹拌して得られる排泄物溶液に、残渣を添加し、前記排泄物溶液と前記残渣とを撹拌混合しながら前記排泄物溶液の水分の減少を行うものである。
【００６５】
まず、家畜の飼育施設から家畜排泄物を回収して、家畜排泄物処理装置１００の排泄物撹拌手段３０の撹拌容器３１に流入する。ここで、家畜排泄物は、異種の家畜の家畜排泄物を混合してもよく、固体物（糞）と液体物（尿）とが混ざっていてもよい。
この状態において、撹拌容器３１に設けられている流出バルブ３３は閉じられた状態となっており、家畜排泄物が撹拌容器３１から流出できないようになっている。
【００６６】
そして、制御手段６０を操作して排泄物撹拌手段３０の撹拌駆動部３２を駆動させる。すると、家畜排泄物は、撹拌駆動部３２により固体物（糞）と液体物（尿）とが撹拌されて、固体物の粒子が細かくされて排泄物溶液が生成される。制御手段６０は、家畜排泄物が排泄物溶液となったことを検知して、若しくは、撹拌する時間を計測して、排泄物撹拌手段の流出バルブ３３を開ける。
【００６７】
これにより、排泄物溶液となった家畜排泄物は、排泄物溶液供給手段４０の滞留容器４１に一時的に滞留される。なお、制御手段６０は、排泄物溶液が撹拌容器３１から総てなくなると流出バルブ３３を閉じる。そして、制御手段６０は、排泄物溶液が滞留容器４１に滞留されたことを検知すると、流量調節バルブ４２を開く。これにより、所定の流量で所定量の排泄物溶液がバケット１０に流入されると、制御手段６０は、流量調節バルブ４２を閉じる。
【００６８】
バケット１０に排泄物溶液が流入されると、制御手段６０は、残渣添加手段５０の投入バルブ５２を開く。これにより、残渣添加手段５０の収容容器５１に収容されている再焼成ＰＳ灰が所定量でバケット１０に投入される。
【００６９】
排泄物溶液がバケット１０に流入した状態で再焼成ＰＳ灰がそのバケット１０に投入されると、排泄物溶液に再焼成ＰＳ灰が添加された状態となって、バケット１０の下方に接続されている搬送撹拌手段２０の搬送管路２２に移動する。
【００７０】
ここで、搬送撹拌手段２０のモーター２１は、排泄物撹拌手段３０の撹拌駆動部３２が駆動すると同時に駆動を開始し、スクリュー２３はモーター２１の駆動力が伝達されて回転を始める。
再焼成ＰＳ灰が添加された排泄物溶液が搬送撹拌手段２０の搬送管路２２に移動すると、回転するスクリュー２３によって搬送管路２２内で排泄物溶液と再焼成ＰＳ灰とが撹拌混合されて、再焼成ＰＳ灰の吸水性と消臭性により、臭いが少なく水分が減少した減水排泄物が生成されて搬送管路２２外に搬送される。
【００７１】
搬送撹拌手段２０が、再焼成ＰＳ灰が添加された排泄物溶液を撹拌混合して減水排泄物を生成する時間は、例えば、約２０分程度であり、その間に再焼成ＰＳ灰と排泄物溶液とが撹拌混合されて、再焼成ＰＳ灰が排泄物溶液の水分を吸収する。これにより、排泄物溶液が泥土状に固化した減水排泄物となり、このときの減水排泄物の含水比が５５パーセントから７０パーセントになっている。したがって、減水排泄物がこの含水比になることで、良好な発酵が行える堆肥のもと（原料）とすることができる。
【００７２】
これにより、短時間で家畜排泄物の水分を減少させて、良好な発酵ができる堆肥のもと（原料）となる減水排泄物を生成することができる。
【００７３】
このようにして搬出された減水排泄物は、貯留庫Ｃに貯留されることとなる。この臭いが少なくなった減水排泄物が貯留された貯留庫Ｃを密閉状態にすることで、さらに臭いの拡散を防止することができる。
【００７４】
なお、この貯留庫Ｃ内に微生物等を混入させることで、減水排泄物が発酵して堆肥が生成されることとなる。また、発酵が完了すれば、その堆肥は肥料として用いることができる。
【００７５】
このように、本発明の家畜排泄物処理方法を行うことで、排水設備や排水管理が不要となり、家畜排泄物の処理が容易に行えるとともに、家畜排泄物の処理にかかるコストを低減させることができる。
また、家畜排泄物を撹拌混合して排泄物溶液とすることにより、異種の家畜の家畜排泄物が混在していても、容易に排泄物溶液とすることができるので、排泄物溶液の水分の減少も容易に行うことができる。
【００７６】
また、残渣を用いて家畜排泄物の水分を減少させるために、排水設備が不要となる家畜排泄物処理装置が実現でき、かつ、産業廃棄物として廃棄されていた残渣を再利用することができるので、環境負荷の小さい家畜排泄物処理装置とすることができる。
【００７７】
さらに、残渣に再焼成ＰＳ灰を用いたことにより、安価な材料費で家畜排泄物の処理を行うことができる。また、再焼成ＰＳ灰は有害物質の除去がされているため、環境にも優しく、再焼成ＰＳ灰が有する多数の孔に家畜排泄物の臭いが吸収されるので、家畜排泄物処理装置の周辺への臭いの拡散を防止することができる。
【００７８】
以上、本発明について、好適な実施形態の一例を説明した。しかし、本発明は、前記実施形態に限られず、前記の各構成要素については、本発明の趣旨を逸脱しない範囲で、適宜設計変更が可能である。
【００７９】
例えば、残渣には、再焼成ＰＳ灰のほかに、一般ゴミから生成された再焼成灰や、７００度以上の温度で少なくとも１回以上の加熱処理をした残渣（加熱処理灰）を用いることができる。このような残渣を用いても、本実施形態と同様に、排泄物溶液の水分を減少させることができる。
【００８０】
また、残渣に替わって活性炭やゼオライトを用いても、本実施の形態と同様の効果を奏する。
【００８１】
また、家畜排泄物に替えて人間の排泄物を用いることもできる。
これは、例えば、下水処理のできない場所、又は、下水処理設備が整ってない場所において用いることができる。
例えば、地震等で下水設備が使用不能になった場合に、その地域に本発明の家畜排泄物処理装置１００を用いれば、容易に設置することができるので、緊急な事態に対応することができる。また、すぐに排泄物の水分を減少させて減水排泄物とすることができるので、地域環境に悪影響を及ぼすことなく、排泄物の処理を行うことができる。さらに、減水排泄物を貯留庫Ｃに貯留させることで、減水排泄物の臭いの拡散を防止することができる。この貯留庫Ｃに微生物等を混入させれば、貯留庫Ｃ内の減水排泄物を堆肥として用いることができる。このようにして得られた堆肥を既存の処理施設に運搬することにより、肥料として再利用することができる。
【図面の簡単な説明】
【００８２】
【図１】本発明の家畜排泄物処理装置の一例を示す模式図である。
【符号の説明】
【００８３】
１００  家畜排泄物処理装置
１０    バケット
２０    搬送撹拌手段
３０    排泄物撹拌手段
４０    排泄物溶液供給手段
５０    残渣添加手段
６０    制御手段
Ｃ      貯留庫
【図１】
2005087854.tif 000003